(57)【特許請求の範囲】
【請求項１】
複数の商品を収容することが可能な商品収容領域を備えた、一枚のシート体からなる包装用容器であって、
前記シート体は、
その略中央に配された底面部と、この底面部の周縁部にそれぞれ配された第一乃至第四の各側壁部と、第一の側壁部において前記底面部と対向する位置の縁部に配された第一のフラップと、第一の側壁部において前記第二の側壁部側の縁部に配された二つ折り可能な二つの片から構成された第二の側壁連結片と、第一の側壁部において前記第四の側壁部側の縁部に配された二つ折り可能な二つの片から構成された第四の側壁連結片と、前記底面部を介して前記第一の側壁部と対向する位置に配された第三の側壁部において前記底面部と対向する位置の縁部に配された第二のフラップと、第三の側壁部において前記第二の側壁部側の縁部に配された第二の側壁連結片と、第三の側壁部において前記第四の側壁部側の縁部に配された第四の側壁連結片と、を備え、
前記第一のフラップは、前記第一の側壁部の上端から連続して延び、商品収容領域の上面部分を覆う上面被覆部及び商品収容領域の正面を覆う正面被覆部とから構成され、正面被覆部は、対向する位置の縁部に第一の蓋体固定片をそれぞれ有し、
前記第二のフラップは、前記第三の側壁部の上端から連続して延び、この上端の一部において、上端縁から底面に向かって途中まで形成された一対の切込みを介し、これらの切込み間の領域を含めて商品収容領域に向かって曲折可能に設けられ、前記底面部との間に商品を収容するための空間を形成する脚部を、前記第三の側壁部と接する縁部を除く残りの縁部に有し、
前記第二の側壁部は、二つ折り可能な内側側壁及び外側側壁とから構成され、その間に、前記第一の側壁部側の縁部に配された二つ折り状態の第二の側壁連結片、及び前記第三の側壁部側の縁部に配された第二の側壁連結片を内包して有すると共に、前記第三の側壁部側に、前記第一のフラップの正面被覆部が有する第一の蓋体固定片を挿入するための第一の蓋体固定間隙部を有し、
前記第四の側壁部は、二つ折り可能な内側側壁及び外側側壁とから構成され、その間に、前記第一の側壁部側の縁部に配された二つ折り状態の第四の側壁連結片、及び前記第三の側壁部側の縁部に配された第四の側壁連結片を内包して有すると共に、前記第三の側壁部側に、前記第一のフラップの正面被覆部が有する第一の蓋体固定片を挿入するための第一の蓋体固定間隙部を有し、
前記商品収容領域は、前記底面部の周縁より立設した前記第一乃至第四の各側壁部により囲まれて形成された筒状空間であって、第一の蓋体となる前記第一のフラップによって覆われる第一の商品収容区域と、第二の蓋体となる前記第二のフラップによって覆われる第二の商品収容区域により構成されていると共に、前記第二の蓋体の閉蓋状態において前記第一の商品収容区域の側面を露呈させる開口部を、前記第三の側壁部の一部に有する、
ことを特徴とする包装用容器。
【請求項２】
第二の蓋体は、第二の商品収容区域に収容された商品を僅かに露呈させる切欠部を備えていることを特徴とする請求項１に記載の包装用容器。
【請求項３】
第二の蓋体は、切開可能な切れ目線を備えていることを特徴とする請求項１又は２に記載の包装用容器。
【請求項４】
第二の蓋体は、メッセージ表示部を備えることを特徴とする請求項１乃至３の何れか１項に記載の包装用容器。
【請求項５】
第一の商品収容区域は、第二の蓋体を介して第二の商品収容区域上に積み重ねることが可能な１又は２以上のトレイ状収容体を備えることを特徴とする請求項１乃至４の何れか１項に記載の包装用容器。
【請求項６】
トレイ状収容体は、背面に、起立状態で保持することが可能な商品陳列部材を備えることを特徴とする請求項５に記載の包装用容器。
【請求項７】
前記開口部は、その間隔が前記第一の商品収容区域に収容されるトレイ状収容体の幅よりも狭いことを特徴とする請求項５又は６に記載の包装用容器。
【請求項８】
前記第一の蓋体の開蓋を抑制する帯封が設けられていることを特徴とする請求項１乃至７の何れか１項に記載の包装用容器。
【発明の詳細な説明】
【技術分野】
【０００１】
本発明は、商品を収容する包装用容器に係り、詳しくは、プレゼントとして複数の商品を収納可能とし、包装用容器から商品を取り出す際に、プレゼントを贈る側が意図する順番となるように、商品の取り出し順序が定められるようにした包装用容器に関する。
【背景技術】
【０００２】
誕生日やクリスマス、結婚記念日、父の日、母の日、敬老の日、卒業、入学といった様々な記念日や祝日、慶事において、プレゼントを贈ることが日常的に行われている。
また、近年ではプレゼントとして一つだけではなく、相手をさらに喜ばせようと考えて複数の商品を贈ることも行われている。複数の商品の組み合わせとしては様々あり、たとえば、貴金属、洋服、化粧品、食器、タオル、本、文具、菓子といった商品を適宜組み合わせたり、もしくはこれらの商品と、花束やフラワーアレンジメント、プリザーブドフラワーといった花を組み合わせたりしている。
【０００３】
ところが、複数の商品をプレゼントとして贈る場合、商品は個々に包装されることから、プレゼントを贈る側においては、まとめての持ち運びや発送に煩わしさを覚えることがある。他方、プレゼントを受け取る側においては、プレゼントの包装を個々に解くのに手間や時間を要し、煩わしさを覚えることがある。この場合、包装を解くことだけを考慮して簡易包装とすると、持ち運びや発送等の途中で包装が破損等してしまう虞が多分にあると共に、見栄えにおいてプレゼントとしての商品価値を下げてしまう印象を与えてしまい望ましくない。
【０００４】
また、商品が個々に包装されたものであると、包装の数によってプレゼントとして贈る商品の数が容易にわかってしまうことから、複数の商品を贈って相手をさらに喜ばせたい、ビックリさせたい、といったプレゼントを贈る側の気持ちを酌む配慮に欠けたものとなっている。
【０００５】
さらに、商品が個々に包装されたものであると、その商品の開封に順序が定めらないことから、プレゼントを贈る側において商品の開封順序に意図がある場合、予めプレゼントを受け取る側にそのことを伝えておかないと、意図する順番に商品が開封されず、プレゼントを贈る側にとってもプレゼントを受け取る側にとっても、商品の開封順序によってもたらされる感激が軽減してしまうものとなる。
【０００６】
そこで、複数の商品の収容を可能とした包装用容器について、幾つか提案されている。
たとえば、包装用容器内に商品を上下に段に収容する場合において、上段の商品と下段の商品の間に介在する部材（水平板）と、上段の商品を固定する部材（仕切板）とを一体に有するものとし、これら部材を包装用容器と別個に用意する必要のないものとした技術が提案されている（特許文献１を参照）。
また、一枚の段ボールから、直方体の各面がそれぞれ二重壁構造を備えた梱包箱が折り上がるようにした技術も提案されている（特許文献２を参照）。
【０００７】
しかしながら、特許文献１及び２に記載の技術は何れも、緩衝状態で商品を収容することを目的とするものであって、商品の取り出し順序を定めるように考慮したものではない。
ゆえに、現在では、持ち運びが煩わしくならないように複数の商品を一つの容器に包装し、かつ、包装を解く手間や時間を簡易にし、さらに、商品の取り出しに順序が定められるようにした包装用容器は何ら提案されていない。
【先行技術文献】
【特許文献】
【０００８】
【特許文献１】特開２００９−２３７１３号公報
【特許文献２】特許第３０６５５５２号公報
【発明の概要】
【発明が解決しようとする課題】
【０００９】
本発明は、上記事情に鑑みて成されたものであり、複数の商品が包装用容器内にまとめて収容された場合、商品を受け取った側が商品を取り出す際に、商品を贈る側の意図する順番で商品を容易に取り出すことを可能とした技術を提供することを目的とする。
【課題を解決するための手段】
【００１２】
本発明の請求項１に係る包装用容器は、複数の商品を収容することが可能な商品収容領域を備えた、一枚のシート体からなる包装用容器であって、前記シート体は、その略中央に配された底面部と、この底面部の周縁部にそれぞれ配された第一乃至第四の各側壁部と、第一の側壁部において前記底面部と対向する位置の縁部に配された第一のフラップと、第一の側壁部において前記第二の側壁部側の縁部に配された二つ折り可能な二つの片から構成された第二の側壁連結片と、第一の側壁部において前記第四の側壁部側の縁部に配された二つ折り可能な二つの片から構成された第四の側壁連結片と、前記底面部を介して前記第一の側壁部と対向する位置に配された第三の側壁部において前記底面部と対向する位置の縁部に配された第二のフラップと、第三の側壁部において前記第二の側壁部側の縁部に配された第二の側壁連結片と、第三の側壁部において前記第四の側壁部側の縁部に配された第四の側壁連結片と、を備え、前記第一のフラップは、前記第一の側壁部の上端から連続して延び、商品収容領域の上面部分を覆う上面被覆部及び商品収容領域の正面を覆う正面被覆部とから構成され、正面被覆部は、対向する位置の縁部に第一の蓋体固定片をそれぞれ有し、前記第二のフラップは、前記第三の側壁部の上端から連続して延び、この上端の一部において、上端縁から底面に向かって途中まで形成された一対の切込みを介し、これらの切込み間の領域を含めて商品収容領域に向かって曲折可能に設けられ、前記底面部との間に商品を収容するための空間を形成する脚部を、前記第三の側壁部と接する縁部を除く残りの縁部に有し、前記第二の側壁部は、二つ折り可能な内側側壁及び外側側壁とから構成され、その間に、前記第一の側壁部側の縁部に配された二つ折り状態の第二の側壁連結片、及び前記第三の側壁部側の縁部に配された第二の側壁連結片を内包するように有すると共に、前記第三の側壁部側に、前記第一のフラップの正面被覆部が有する第一の蓋体固定片を挿入するための第一の蓋体固定間隙部を有し、前記第四の側壁部は、二つ折り可能な内側側壁及び外側側壁とから構成され、その間に、前記第一の側壁部側の縁部に配された二つ折り状態の第四の側壁連結片、及び前記第三の側壁部側の縁部に配された第四の側壁連結片を内包するように有すると共に、前記第三の側壁部側に、前記第一のフラップの正面被覆部が有する第一の蓋体固定片を挿入するための第一の蓋体固定間隙部を有し、前記商品収容領域は、前記底面部の周縁より立設した前記第一乃至第四の各側壁部により囲まれて形成された筒状空間であって、第一の蓋体となる前記第一のフラップによって覆われる第一の商品収容区域と、第二の蓋体となる前記第二のフラップによって覆われる第二の商品収容区域により構成されていると共に、前記第二の蓋体の閉蓋状態において前記第一の商品収容区域の側面を露呈させる開口部を、前記第三の側壁部の一部に有することを特徴とする。
【００１３】
本発明の請求項２に係る包装用容器は、請求項１に記載の包装用容器において、第二の蓋体は、第二の商品収容区域に収容された商品を僅かに露呈させる切欠部を備えていることを特徴とする。
【００１４】
本発明の請求項３に係る包装用容器は、請求項１又は２に記載の包装用容器において、第二の蓋体は、切開可能な切れ目線を備えていることを特徴とする。
【００１５】
本発明の請求項４に係る包装用容器は、請求項１乃至３の何れか１項に記載の包装用容器において、第二の蓋体は、メッセージ表示部を備えることを特徴とする。
【００１６】
本発明の請求項５に係る包装用容器は、請求項１乃至４の何れか１項に記載の包装用容器において、第一の商品収容区域は、第二の蓋体を介して第二の商品収容区域上に積み重ねることが可能な１又は２以上のトレイ状収容体を備えることを特徴とする。
【００１７】
本発明の請求項６に係る包装用容器は、請求項５に記載の包装用容器において、トレイ状収容体は、背面に、起立状態で保持することが可能な商品陳列部材を備えることを特徴とする。
【００１８】
本発明の請求項７に係る包装用容器は、請求項５又は６に記載の包装用容器において、トレイ状収容体は、前記開口部は、その間隔が前記第一の商品収容区域に収容されるトレイ状収容体の幅よりも狭いことを特徴とする。
【００１９】
本発明の請求項８に係る包装用容器は、請求項１乃至７の何れか１項に記載の包装用容器において、前記第一の蓋体の開蓋を抑制する帯封が設けられていることを特徴とする。
【発明の効果】
【００２０】
本発明の包装用容器は、第一の商品収容区域を覆う第一の蓋体と、第二の商品収容区域を覆う第二の蓋体とを備え、第二の蓋体は、第一の蓋体を開蓋することで露呈する第一の商品収容区域内に収容されている商品を取り出さなければ開蓋することができないものとなっている。ゆえに、複数の商品が包装用容器内に上下に重ねてまとめて収容された場合、商品収容領域内に収容された商品の取り出しに順序が定められたものとなり、商品を受け取った側が、商品を贈る側の意図する順番で商品を取り出すようにすることできる。
【００２１】
すなわち、第二の蓋体が第一の商品収容区域と第二の商品収容区域と区画する遮蔽扉となることで、商品収容領域の底部側が二重底構造となり、この二重底区域内に第二の商品を収容することができる。これにより、商品を贈る側が、商品の取り出し順序にこだわらない商品（通常商品）を第一の商品収容区域に収容し、商品を受け取る側に最後に取り出してもらうことを意図する商品（メイン商品）を第二の商品収容区域に収容することで、第一の商品収容区域に収容された通常商品は、第一の蓋体を開けることで取り出し可能となるが、第二の商品収容区域内に収容されたメイン商品を取り出すためには、第一の商品収容区域に収容された通常商品を取り出した後、さらに、遮蔽扉となっている第二の蓋体を開けなければならず、商品を贈る側贈る側が意図する順番となるように、商品の取り出し順序が定められたものとすることできる。
【００２２】
したがって、単に複数の商品をまとめて収容するだけでなく、贈る側の意図に合わせて商品の取り出し順序が定められるようにすることができ、商品を受け取る側は、一旦商品を受け取ることで感動を覚えた後、さらに、商品を贈る側がこだわった予期せぬ新たな商品を受け取ることで、より一層深い感動を覚えるものとすることができる。
【００２３】
また、本発明の包装用容器は、側壁部に切込みを形成し曲折することで第二の蓋体を設けたものであるので、側壁部に、第一の商品収容区域の側面を露呈させる開口部が設けられたものとなっている。ゆえに、商品の取り出し口が包装用容器上面だけでなく側面の一部を含めたより広いものとなり、第一の商品収容区域及び第二の商品収容区域に収容された商品の取り出しが容易に行えるものとなる。しかも、この開口部によって、第一の商品収容区域に収容された商品を見栄え良く、かつ、見易くすることができると共に、第二の商品収容区域に隠すように収容された商品の存在に、商品を受け取った側が容易に気付き易いようにすることができる。
【００２４】
すなわち、包装用容器内に複数の商品を上下に重ねて収容する場合、包装用容器全体の蓋体と、商品収容領域内の蓋体といった、単に二つの蓋体を設けるようにしただけでは、商品収容領域の深さが大きいものとなってしまい、商品収容領域内への商品の収容や、商品収容領域内からの商品の取り出し、商品収容領域内に収容された商品の確認等がし難いものとなる。
【００２５】
しかしながら、本発明の包装用容器は、側壁部の一部に開口部が設けられているので、上面開口部と側壁部の開口部の双方を介して商品を扱うことや、商品を視認することができる。ゆえに、商品収容領域内への商品の収容や、商品収容領域内からの商品の取り出し、商品収容区域内に収容された商品の確認等がし易いものとなる。
【図面の簡単な説明】
【００２６】
【図１】本発明に係る包装用容器を示す斜視図である。
【図２】本発明に係る包装用容器を組み立てるためのシート体の一例を示す展開平面図である。
【図３】本発明に係る包装用容器の組み立て状態を説明する斜視図である。
【図４】本発明に係る包装用容器における第二の蓋体を閉蓋した状態を示す正面図である。
【図５】本発明に係る包装用容器における第一の蓋体を閉蓋する状態を示す斜視図である。
【図６】本発明に係る包装用容器を展示する状態の一例を示す斜視図である。
【図７】本発明に係る包装用容器における第二の蓋体を説明する平面図である。
【図８】本発明に係る包装用容器における第一の商品収容区域に、（Ａ）トレイ状収容体を収容する前の状態、（Ｂ）トレイ状収容体を収容した後の状態をそれぞれ示す正面図である。
【図９】本発明に係る包装用容器に収容するトレイ状収容体に設けられた商品陳列部材の構造の一例を示すトレイ本体の背面図である。
【図１０】本発明に係る包装用容器に収容するトレイ状収容体を用いて商品を展示する状態を示す側面図である。
【図１１】本発明に係る包装用容器における第二の蓋体の他の例を説明する平面図である。
【発明を実施するための形態】
【００２７】
以下、本発明に係る包装用容器の実施の形態の一例について、図面に基づき説明する。
本実施の形態においては、本発明の理解を容易にするため、底面が四角形であり、この底面部の周縁より立設した側壁部によって形成された筒状空間を商品収容領域として備え、この商品収容領域内に複数の商品を収容するようにした包装用容器について説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２８】
＜第１の実施の形態＞
図１に示すように、本実施の形態における包装用容器１は、複数の商品を上下に重ねて収容することが可能な商品収容領域を有する包装用容器であって、第一の蓋体７と、第一の商品収容区域１０と、第二の蓋体８と、第二の商品収容区域２０とを少なくとも備える。また、本発明の包装用容器１は、側壁部の一部に開口部３０を有する。
【００２９】
第一の蓋体７は、底面部２の周縁より立設した４つの側壁部３，４，５，６により囲まれて形成された筒状空間を商品収容領域とし、この商品収容領域の全体を覆うように側壁部の上端の一部に設けられたものである。
また、本実施の形態において、第一の蓋体７は、図中の点線に沿って倒伏したときに、商品収容領域の上面部分を覆う上面被覆部７−１と、商品収容領域の正面部分を覆う正面被覆部７−２とから構成され、上面被覆部７−１と正面被覆部７−２とは互いに連設され、境界部分より曲折可能なものとなっている。
【００３０】
図１において、商品収容領域は、背面（後面）部である第一の側壁部３、左側面部である第二の側壁部４、正面（前面）部である第三の側壁部５、右側面部である第四の側壁部６により囲まれたものとして示され、第一の蓋体７は、第一の側壁部３の上端に連設されたものとして示されている。また、第一の蓋体７は、上面被覆部７−１が第一の側壁部３の上端に連設されたものとして示されている。
【００３１】
第一の商品収容区域１０は、第一の蓋体７によって覆われる空間であって、商品収容領域の一部を構成するものである。この第一の商品収容区域１０内には、取り出し順序にこだわらない商品、言い換えれば、最後に取り出してもらうことを意図しない商品を収容する。この第一の商品収容区域１０は、一つだけの商品に限らず、複数の商品を収納するものとしても良い。
【００３２】
第二の蓋体８は、商品収容領域の一部を覆うものであって、第一の商品収容区域１０と第二の商品収容区域２０とを区分けするものとなっている。また、第二の蓋体８は、側壁部の上端の他の一部に設けられたものであって、この上端縁から底面に向かって途中まで伸びる切込みを一対（二本）形成し、これら切込みの間の側面部領域を含めて商品収容領域に向かって曲折可能に設けられている。
【００３３】
図１において、第二の蓋体８は、第一の蓋体７が設けられた第一の側壁部３と対向する側の第三の側壁部５に連設され、この第三の側壁部５の上部における幅方向中央の広域を含めて商品収容領域に向かって曲折した状態として示されている。
【００３４】
第二の商品収容区域２０は、第二の蓋体８によって覆われる空間であって、第一の商品収容区域１０を除く商品収容領域の一部を構成するものである。この第二の商品収容区域２０内には、取り出し順序にこだわる商品を収容する。この第二の商品収容区域２０は、複数の商品を収納するものとしても良いが、最後に取り出してもらうことを意図する商品を一つだけ収納することが望ましい。
【００３５】
開口部３０は、第二の蓋体８の閉蓋状態において第三の側壁部５の一部に形成された、第一の商品収容区域１０の側面を露呈させる切欠き領域である。すなわち、開口部３０は、第三の側壁部５に形成された一対の切込みを介して、第二の蓋体８が商品収容領域に向かって曲折することで第三の側壁部５に形成される、一対の切込み間に設けられた切欠き領域をいう。
【００３６】
また、第三の側壁部５の一部に開口部３０が形成されることで、第三の側壁部５における開口部３０の両側部分にガイド部５０，５０が形成されたものとなっている。
このガイド部５０は、第二の蓋体８として商品収容領域の内側に向かって曲折されない第三の側壁部５の起立部分である。ゆえに、後述するように、第一の商品収容区域１０内に商品を体裁良く収容するためのトレイ状収容体１１を備えるものとした場合、ガイド部５０は、第一の商品収容区域１０内へのトレイ状収容体１１の収容に対するガイド枠として機能する。ゆえに、開口部３０は、その間隔が第一の商品収容区域に収容される商品（トレイ状収容体１１）の幅よりも狭いものとなっている。
【００３７】
したがって、ガイド部５０は、第一の蓋体７を完全に開蓋せずに、第一の商品収容区域１０内に収容された商品（トレイ状収容体１１）が正面部から抜き出されることを制御すると共に、第一の商品収容区域１０内に収容された商品（トレイ状収容体１１）が正面部から無闇に落下することを防止することができる。
【００３８】
以上のように本発明の包装用容器１は、図１において、第一の商品収容区域１０は、商品収容領域内の上方（上段）に設けられ、第二の商品収容区域２０は、商品収容領域内の下方（下段）に設けられたものとして示され、これらの区域を区分けする第二の蓋体８は、第二の商品収容区域２０を覆うと共に、第一の商品収容区域１０における底面部として機能するものとなっている。
【００３９】
そして、このような本発明の包装用容器１は、プレゼントを贈る者が、最後に取り出してもらうことを意図する取り出し順序にこだわる商品として、たとえば、貴金属や洋服、ワイン、本を下方の第二の商品収容区域２０内に収容し、第二の蓋体８を閉蓋した後、この第二の蓋体８の上方に設けられた第一の商品収容区域１０内に、取り出し順序にこだわらない商品として、たとえば、タオルやフラワーアレンジメントもしくはプリザーブドフラワーといった花を収容し、第一の蓋体７を閉蓋してプレゼントとして相手に渡すことになる。
【００４０】
ゆえに、本発明では、プレゼントを受け取った者は、第一の蓋体７を開蓋して第一の商品収容区域１０内に収容された商品を取り出した後、第二の蓋体８の存在に気付き、この第二の蓋体８を開蓋することで、第二の商品収容区域２０内に収容された商品を取り出すことが可能なものとなっている。言い換えれば、第一の蓋体７を開蓋して第一の商品収容区域１０内に収容された商品を取り出さなければ、第二の蓋体８を開蓋することができず、第二の商品収容区域２０内に収容された商品を取り出すことができない、商品の取り出し順序が定められたものとなっている。
【００４１】
これにより、プレゼントを受け取った者に対し、商品を見て取り出す毎に複数の感動を与えることができると共に、プレゼントを贈る者が拘った商品を最後に取り出すことで、特別な感動と相乗的な喜びを与えることができる。すなわち、プレゼントを受け取った者は、商品を取り出す順番に基づいて、プレゼントを贈る者の意図を明確に感じ取ることができる。
【００４２】
また、本発明の包装用容器１は、一枚のシート体を折り曲げることにより組立てるものとすることができる。
すなわち、シート体の略中央に配された底面部２の周縁を折り曲げて側壁部３，４，５，６をそれぞれ立設し、この側壁部３，４，５，６によって形成された筒状空間を商品収容領域とする。次いで、第一の側壁部３の上端から連続して延びる第一のフラップを、商品収容領域に向けて折り曲げることにより第一の蓋体７を形成すると共に、この第一の蓋体７によって覆われる空間を第一の商品収容区域１０とする。
【００４３】
他方、第三の側壁部５の上端に、この上端縁から底面に向かって途中まで伸びる切込みを一対（二本）設ける。次いで、第三の側壁部５の上端から連続して延びるように設けられた第二のフラップ、及びこれら切込みの間の第三の側壁部５を商品収容領域に向けて折り曲げることにより第二の蓋体８を形成すると共に、この第二の蓋体８によって覆われる空間を第二の商品収容区域２０とする。
さらに、第二の蓋体８を閉蓋状態とすることで第三の側壁部５の一部に形成される、第一の商品収容区域１０の側面を露呈させるようにした切欠き領域を開口部３０とする。
【００４４】
このような包装用容器１を組み立てるシート体としては、たとえば図２に示すことができる。図中において、一点鎖線で示す部分は谷折り部である。したがって、以下に述べる折り曲げは、何れも谷折りすることを意味するものである。
【００４５】
図２に示すシート体Ｓは、その略中央に底面部２が配されたものとなっている。
この底面部２の周縁の各辺部に連続して、第一の側壁部３、第二の側壁部４、第三の側壁部５、第四の側壁部６がそれぞれ配されたものとなっている。また、底面部２は、第二の側壁部側縁部に、第二の側壁部支持用の孔部２１が設けられていると共に、第四の側壁部側縁部に、第四の側壁部支持用の孔部２２が設けられている
【００４６】
第一の側壁部３は、連設する底面部２との境界辺縁部に対向する位置の辺縁部に連続して、第一の蓋体となる第一のフラップ７が配されたものとなっている。この第一のフラップ７は、折り曲げて商品収容領域の上面を覆う上面被覆部７−１と、折り曲げて商品収容領域の正面を覆う正面被覆部７−２とから構成されている。また、正面被覆部７−２は、連設する上面被覆部７−１との境界辺縁部にそれぞれ隣接する、互いに対向する位置の各辺縁部に第一の蓋体固定片７１，７２をそれぞれ有している。
したがって、第一の側壁部３と、上面被覆部７−１と、正面被覆部７−２と、第一の蓋体固定片７１，７２とは、連続して配されたものとなっている。
【００４７】
また、第一の側壁部３は、連設する底面部２及び上面被覆部７−１との境界辺縁部にそれぞれ隣接する、互いに対向する位置の各辺縁部に連続してそれぞれ、第二の側壁連結片３１、第四の側壁連結片３２が配されたものとなっている。すなわち、第二の側壁部４側の辺縁部に連続して第二の側壁連結片３１が配され、第四の側壁部６側の辺縁部に連続して第四の側壁連結片３２が配されたものとなっている。
【００４８】
第二の側壁連結片３１は、二つ折り可能な二つの片３１−１，３１−２から構成されている。また、第四の側壁連結片３２も、二つ折り可能な二つの片３２−１，３２−２から構成されたものとなっている。第二の側壁連結片３１及び第四の側壁連結片３２は、このように二つ折りすることで、開蓋した第一の蓋体７を第一の側壁部３を介して支持するように強度を保つことができるものとなっている。
【００４９】
また、第二の側壁連結片３１及び第四の側壁連結片３２は、それぞれ二つ折りすることで、第二の側壁部４及び第四の側壁部６において、後述する第一の蓋体固定間隙部５４，５６を形成するためのスペーサとして機能するものとなっている。
【００５０】
第二の側壁部４は、互いに連続する外側側壁４−１及び内側側壁４−２とから構成され、これを二つ折りしたときに、第一の側壁部３側の第二の側壁連結片３１、及び第三の側壁部５側の後述する第二の側壁連結片５１を内包するように挟み込むものとなっている。この外側側壁４−１と内側側壁４−２とを合わせるように二つ折りすると、その間に、上述した第一の蓋体固定間隙部５４が形成されるものとなっている。
【００５１】
内側側壁４−２は、連続する外側側壁４−１との境界辺縁部と対向する側の辺縁部に底面係止片４１を備える。すなわち、第二の側壁部４は、外側側壁４−１と内側側壁４−２とを合わせるように二つ折りした後、底面係止片４１を、底面部２に設けられた第二の側壁部支持用の孔部２１へ挿入することで、この二つ折り状態を保持することができるものとなっている。
【００５２】
第三の側壁部５は、連設する底面部２との境界辺縁部に対向する位置の辺縁部に連続して、第二の蓋体となる第二のフラップ８が配されたものとなっている。すなわち、第二のフラップ８は、底面部２を挟んで第一の側壁部３の縁部に配された第一のフラップ７と対向する位置に配されたものとなっている。このように第二の蓋体（第二のフラップ）８が、第一の蓋体（第一のフラップ）７と対向する側壁部の縁部に設けられることで、第一の蓋体７を開けたときに第一の商品収容区域１０が見易いものとなる位置に、開口部３０とガイド部５０，５０を形成することができる。また、一枚のシート体で作製する場合、無駄なスペースを要することなく効率良く設計することができる。
【００５３】
この第二のフラップ８は、第三の側壁部５の縁部の一部に、この端縁から底面に向かって途中まで伸びる切込み９を一対形成し、これら切込み９，９の間において第三の側壁部５から連続して設けられたものとなっている。そして、第二のフラップ８は、第三の側壁部５の一部と共に、第二の蓋体として商品収容領域の内側に向かって曲折するものとなっている。
【００５４】
図２において、切込み９は、第三の側壁部５の端縁から底面に向かに従って、他方の切込み９との距離が近づくように略Ｓ字状（もしくは略Ｚ字状）に形成されたものとして示されている。
【００５５】
また、第二のフラップ８は、第三の側壁部５と接する辺縁部を除く残りの辺縁部に、脚部８１，８２，８３を備える。この三つの脚部８１，８２，８３と第二の蓋体８とは、連続して配されたものとなっている。これらの脚部８１，８２，８３は、第二の蓋体８を商品収容領域に向かって折り曲げた際、底面部２に向かって折り曲げられ、第二の蓋体８と底面部２との間に商品を収容するための空間として第二の商品収容区域２０を形成する。
【００５６】
第二の蓋体８は、連設する中央脚部８３との境界辺縁部の近傍に、第三の側壁部５側に向かって開く略コ字状をした切込み８９を有し、この切込み８９によって形成された開蓋口形成片８４を有する。開蓋口形成片８４は、切込み８９に沿って切り離して折り曲げることで、第二の蓋体８を開蓋操作するときに指を挿入して係止することを可能とする開蓋操作口８５を形成する。
【００５７】
また、第三の側壁部５は、連設する底面部２との境界辺縁部に隣接する、互いに対向する位置の各辺縁部に連続してそれぞれ、第二の側壁連結片５１、第四の側壁連結片５２が配されたものとなっている。すなわち、第二の側壁部４側の辺縁部に連続して第二の側壁連結片５１が配され、第四の側壁部６側の辺縁部に連続して第四の側壁連結片５２が配されたものとなっている。
【００５８】
第四の側壁部６は、互いに連続する外側側壁６−１及び内側側壁６−２とから構成され、これを二つ折りしたときに、第二の側壁部４と同様に、第一の側壁部３側の第四の側壁連結片３２、及び第三の側壁部５側の後述する第四の側壁連結片５２を内包するように挟み込むものとなっている。この外側側壁６−１と内側側壁６−２とを合わせるように二つ折りすると、その間に、上述した第一の蓋体固定間隙部５６が形成されるものとなっている。
【００５９】
内側側壁６−２は、連続する外側側壁６−１との境界辺縁部と対向する側の辺縁部に底面係止片６１を備える。すなわち、第四の側壁部６は、外側側壁６−１と内側側壁６−２とを合わせるように二つ折りした後、底面係止片６１を、底面部２に設けられた第四の側壁部支持用の孔部２２へ挿入することで、この二つ折り状態を保持することができるものとなっている。
【００６０】
このように構成されたシート体Ｓは、接着剤を用いることなく折り曲げるだけで簡単に組み立てることができる。また、一旦組み立てた後の解体や、再組み立てを容易に行うことができる。
また、シート体Ｓは、板紙や段ボール紙等の紙製であっても、プラスチック製であっても良く、所望の設計にしたがって打ち抜くことで作製することができる。シート体が紙製であると、表面への印刷や、使用後の廃棄処分が容易に行えるものとなる。一方、シート体がプラスチック製であると、意識的にわざと中味を見せるようにした透明度の高い包装用容器とすることができる。
【００６１】
次に、以上のような構造を有するシート体Ｓを用いて、本発明の包装用容器を組み立てる手順を説明する。
まず、底面部２の周囲を取り囲むように形成された折曲線に沿ってシート体Ｓを折り曲げ、第一の側壁部３、第二の側壁部４、第三の側壁部５、第四の側壁部６をそれぞれ立設する。
【００６２】
次いで、図３において点線で示すように、第二の側壁部４の外側側壁４−１と内側側壁４−２とを合わせるように二つ折りする。この第二の側壁部４の二つ折りは、第一の側壁部３側の（二つ折り状態とした）第二の側壁連結片３１と、第三の側壁部５側の第二の側壁連結片５１を内包するように挟み込むように行い、その後、第二の側壁部４の底面係止片４１を、底面部２に設けられた第二の側壁部支持用の孔部２１へ挿入する。このとき、外側側壁４−１と内側側壁４−２の間に隙間が形成され、第三の側壁部側に、第一の蓋体固定間隙部５４が形成されたものとなっている。
【００６３】
一方、第四の側壁部６もまた、図３において点線で示すように、第二の側壁部４と同様に外側側壁６−１と内側側壁６−２とを合わせるように二つ折りし、第一の側壁部３側の（二つ折り状態とした）第四の側壁連結片３２と、第三の側壁部５側の第四の側壁連結片５２とを内包するように挟み込む。その後、第四の側壁部６の底面係止片６１を、底面部２に設けられた第二の側壁部支持用の孔部２２へ挿入する。このとき、外側側壁６−１と内側側壁６−２の間に隙間が形成され、第三の側壁部側に、第一の蓋体固定間隙部５６が形成されたものとなっている。
【００６４】
引き続き、図４に示すように、第二の蓋体８を商品収容領域の内側に向かって曲折し、閉蓋状態とすることで、第二の蓋体８によって覆われた第二の商品収容区域２０を形成する。また、第二の蓋体８を閉蓋状態とすることで、第三の側壁部５の一部に、第一の商品収容区域１０の側面を露呈させる切欠き領域として、開口部３０が形成されたものとなる。
【００６５】
そして、図５に示すように、第一の商品収容区域１０を覆うように第一の蓋体７（上面被覆部７−１、正面被覆部７−２）を折り曲げた後、第一の蓋体固定片７１を第一の蓋体固定間隙部５４に、他方、第一の蓋体固定片７２を第一の蓋体固定間隙部５６にそれぞれ挿入することで、包装用容器１を組み立てるものとする。
【００６６】
以上のようにして組み立てられた包装用容器１は、底面部２や第一の側壁部３、第一の蓋体７（上面被覆部７−１、正面被覆部７−２）等の外側（表面）に、表示欄Ｔが設けられたものとすることができる。
この表示欄Ｔには、たとえば、本の表題のような文字を表示することができる。このような表示が施された包装用容器１は、図６に示すように縦向きに立てて、本棚やサイドボード等に収納し展示することで、外観上見栄えの良い、辞典や辞書のような書籍型の置物として用いることができる。
【００６７】
図６において、第一の側壁部３の外側に設けられた表示欄Ｔには、太さの異なる線を組み合わせた二重線が間隔を有して上下にそれぞれ描かれ、この二重線の間に、「ＡＢＣ」なる文字の表示が書籍の題号のように予め施され、他方、第一の蓋体７の上面被覆部７−１の外側には、二重線で描かれた楕円と、その中に、「ＡＢＣ」なる文字の表示が書籍の題号のように予め施されたものが示されている。
【００６８】
また、図示しないが、この表示欄Ｔには、印刷等の表示を予め施さず、プレゼントを贈る者もしくはプレゼントを受け取る者が自ら所望の表示を施すようにしたものとしても良い。具体的には、たとえば、「２０１１年母の日 お母さんいつもありがとうね。○○」なる表示や、「２０１１年卒業おめでとう！ 父から○○へ贈るお勧め本」なる表示を、表示欄Ｔに施すものとしても良い。
このような表示を施すことで、プレゼントを受け取った後の空の包装用容器１が、この時贈ったプレゼントの写真や、この時撮った記念写真、手紙等を収容しておく、その人だけの大事な宝箱とすることができる。
【００６９】
また、本実施の形態においては、第一の蓋体７の開蓋を抑制するように、その外側表面を覆う帯封９０が設けられたものとすることができる。この帯封９０は、開蓋口となる第一の蓋体７と底面部２との境界部分だけを覆うものであっても良いし、包装用容器１の周囲を全体的に巻回するものであっても良い。また、この帯封９０の表面をメッセージ欄として、プレゼントを贈る者がプレゼントを受け取る者に対して自由にメッセージを記載することができるようにしても良い。
【００７０】
図６において、帯封９０は、底面部２、第一の側壁部３、第一の蓋体７（及び第三の側壁部５）の外側を覆うように巻回されたものとして示されている。
【００７１】
また、本実施の形態においては、第二の蓋体８はその外側に、開蓋前に認識できるメッセージ表示部Ｍを備えるものとしても良い。このメッセージ表示部Ｍは、第二の蓋体８の外面（第一の商品収容区域１０）側に一体的に設けるものとしても良いが、これに限定されず、第二の蓋体８の外側にメッセージカードを載置したり、貼付したりするスペースを予め設けるものであっても良い。
図７において、メッセージ表示部Ｍは、点線で囲まれた領域として示されている。
このようにメッセージ表示部Ｍを設けることで、第二の商品収容区域に収容された商品に関連した贈る側のメッセージを確実に伝えることができる。
【００７２】
また、本実施の形態においては、図７に示すように、第二の蓋体８が、第二の商品収容区域２０に収容された商品を僅かに露呈させる切欠部８０を備えるものとしても良い。すなわち、第二の商品収容区域２０の上面を覆うように設けられた第二の蓋体８に対して、第二の商品収容区域２０に収容された商品の存在を気付き易くする工夫を施すものである。
【００７３】
図７において、切欠部８０は、第三の側壁部５に設けたガイド部５０の形状・大きさに相当するものとして示され、切り欠かれる領域が無駄なく効率良く形成される設計となっている。なお、図中の符号８５は、第二の蓋体８を開蓋するときに指を挿入して操作する開蓋操作口である。
【００７４】
このような切欠部８０を第二の蓋体８に設けることで、第二の商品収容区域２０に収容された商品の存在に気付いたときに、プレゼントを受け取る側に驚きと、新たな感動を与えることができると共に、先に受け取った第一の商品収容区域１０に収容された商品と併せて相乗的に喜びを与えることができる。
【００７５】
また、本実施の形態においては、図８に示すように、第一の商品収容区域１０が、第二の蓋体８を介して第二の商品収容区域２０上に積み重ねることが可能な１又は２以上のトレイ状収容体１１を備えるものとしても良い。このトレイ状収容体１１は、贈り物の数に応じて通常商品を収容するトレイ状収容体の数を適宜調整することができる。
【００７６】
図８（Ａ）において、二つのトレイ状収容体１１Ａ，１１Ｂを第一の商品収容区域１０内に収容する前の状態が示され、図８（Ｂ）において、第二の蓋体８の上にトレイ状収容体１１Ｂを載置した後、このトレイ状収容体１１Ｂの上にトレイ状収容体１１Ａを載置することで、第一の商品収容区域１０内に複数（二つ）のトレイ状収容体１１を収容した後の状態が示されている。
【００７７】
このようなトレイ状収容体を備えるものとすることで、第一の商品収容区域１０内に商品を体裁良く収容すると共に、複数の商品を効率良く綺麗に積み重ねて収容することができる。
【００７８】
さらに、本実施の形態においては、図９及び１０に示すように、トレイ状収容体１１が、トレイ本体１２の背面に、起立状態で保持することが可能な商品陳列部材を備えるものとしても良い。この商品陳列部材は、水平状態となっている商品面が斜めになり、トレイ状収容体１１内に収容された商品を見栄え良く配置することができるものであれば構造は特に限定されない。
【００７９】
図９及び１０において商品陳列部材は、トレイ本体１２の背面に設けられた一対（二つ）の脚部１３，１３と、支持片１４とによって構成されたものとして示されている。
脚部１３は、トレイ本体１２の背面に対して略直交状態となるように起立する部材である。支持片１４は、トレイ本体１２の背面に対して起立すると共に、脚部１３と直交する向きに設けられ、この脚部１３を係止することで脚部１３が背面に沿って倒伏しないように支持する部材である。
【００８０】
このような脚部１３と支持片１４は、図９において一点鎖線で示すように、まず、二つの脚部１３が互いに近接するように、トレイ本体１２の背面に沿ってそれぞれ折り、トレイ本体１２の背面に対して略垂直状態となるように並列に起立させる（図中Ｉを参照）。
次いで、支持片１４が水平状態となるように倒す（折る）ことで、脚部１３の内側縁部に支持片１４が係止し、脚部１３の起立状態が保持されるように組み立てるものとする（図中ＩＩを参照）。
【００８１】
このように商品陳列部材をトレイ本体１２の背面に備えるものとすることで、図１０に示すように、商品の販売時には、トレイ状収容体内に商品を収容した状態で商品面が斜めになって外部から見易くなるように陳列し、一方、商品の購入後は、商品を飾るようにトレイ状収容体内に商品を収容した状態で配置することができる。
【００８２】
＜第２の実施の形態＞
また、本発明では、第二の蓋体を開け易いものとすることができる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００８３】
図１１に示すように、本実施の形態における第二の蓋体１８は、上述した第１の実施の形態における第二の蓋体８とは、第二の商品収容区域２０内に収容された商品を取り出すときに用いる開封用の切込みを有する点で異なる。
すなわち、本実施の形態における第二の蓋体１８は、切開可能な切れ目線８７，８８を備える。この切開可能な切れ目線８７，８８とは、切り裂きが容易な、いわゆる、ミシン目状の切込みのことをいう。
【００８４】
図１１において、切れ目線８７は、第一の側壁部３と第三の側壁部５とを結ぶように、第二の蓋体１８の中央部に並行して二本設けられ、切れ目線８８は、第三の側壁部５に沿うように、第二の蓋体１８の基端部側に設けられたものとして示されている。
【００８５】
このような切れ目線８７，８８を第二の蓋体１８に設けることで、まず、開封摘み部８６をつまんで切れ目線８７に沿って切り裂き、次いで、切り裂いた部分から切れ目線８８に沿って切り裂くものとする。ゆえに、切れ目線８７，８８を利用して第二の蓋体１８自体を破るように開封すれば、第二の蓋体１８を持ち上げるように開蓋しなくても、第二の商品収容区域２０内に収容された商品を容易に取り出すことができる。
【００８６】
なお、上記実施の形態では、底面の形状が四角形をした包装用容器を例示して説明したが、本発明を適用可能な実施形態がこれに限定されるものではない。したがって、底面の形状が四角形以外の多角形状をした包装用容器や、底面の形状が円形（楕円形を含む）をした包装用容器であっても良い。
【符号の説明】
【００８７】
Ｍ  メッセージ表示部、Ｓ  シート体、Ｔ  表示欄、１  包装用容器、２  底面部、３  第一の側壁部、４  第二の側壁部、４−１  内側側壁、４−２  外側側壁、５  第三の側壁部、６  第四の側壁部、６−１  内側側壁、６−２  外側側壁、７  第一の蓋体、７−１  上面被覆部、７−２  正面被覆部、８，１８  第二の蓋体、９  切込み、１０  第一の商品収容区域、１１  トレイ状収容体、１２  トレイ本体、１３  脚部、１４  支持片、２０  第二の商品収容区域、３０  開口部、３１  第二の側壁連結片、３２  第四の側壁連結片、５０  ガイド部、５１  第二の側壁連結片、５２  第四の側壁連結片、５４，５６  第一の蓋体固定間隙部、７１，７２  第一の蓋体固定片、８０  切欠部、８１，８２，８３  脚片、８４  開蓋口形成片、８５  開蓋操作口、８６  開封摘み部、８７，８８  開封ミシン目、８９  切込み、９０  帯封。
【図１】
0005996849.tif 000002
【図２】
0005996849.tif 000003
【図３】
0005996849.tif 000004
【図４】
0005996849.tif 000005
【図５】
0005996849.tif 000006
【図６】
0005996849.tif 000007
【図７】
0005996849.tif 000008
【図８】
0005996849.tif 000009
【図９】
0005996849.tif 000010
【図１０】
0005996849.tif 000011
【図１１】
0005996849.tif 000012